(57)【要約】 【課題】  本発明は、食品用包装袋等構成するフィルムに対して賞味期限、製造日、その他適宜の数字的表示を施すための新規のフィルム用印字装置の提供を図ったものである。【解決手段】  所要の印字用リングから成るリング群Ｔを、シャフト７に対して回転自在に取付け、当該シャフト７は基枠８に対して固定し、上記各印字用リングには、夫々所定位置での安定が図られるような適宜停止機構を設けたことを特徴とするフィルム用印字装置。【選択図】  図１
2007326302.tif 000002
【特許請求の範囲】
【請求項１】
「賞味期限」「消費期限」「製造」のような文字の印字を行うための目的文字印字用リング１と、「０６．」、「０７．」のような年度数字を印字するための年度数字印字用リング２と、「０」及び「１」の月数の二桁目の数字を印字するための月数二桁数字印字用リング３と、「０．」〜「９．」の月数の一桁目の数字を印字するための月数一桁数字印字用リング４と、「0」「１」「２」「３」の日付の二桁目を印字するための日付二桁数字印字用リング５と、「0」〜「９」の日付の一桁目を印字するための日付一桁数字印字用リング６の各印字用リングから成るリング群Ｔを、シャフト７に対して回転自在に取付け、当該シャフト７は基枠８に対して固定し、上記各印字用リングには、夫々所定位置での安定が図られるような適宜停止機構を設けたことを特徴とするフィルム用印字装置。
【請求項２】
請求項１に記載のリング群Ｔとして、必要に応じた所要の文字または数字を印字するための印字用リングを更に付加してなるリング群とするように構成した請求項１に記載のフィルム用印字装置。
【請求項３】
印字用リング群Ｔを構成する各印字用リングは、夫々その中心部にはシャフト挿通用円孔Ｔａを開設すると共に、当該挿通用円孔Ｔａの内周面に等間隔に１０個或いはこれ以外の複数個の放射状係合合致用溝Ｔｂを形成すると共に、当該各印字用リングを回転させてその各放射状係合合致用溝Ｔｂを所要位置に合致させた状態で、その所定の放射状係合合致用溝内に対して、固定金具9を楔的に差し込むことによって固定化するように構成した請求項１に記載のフィルム用印字装置。
【発明の詳細な説明】
【技術分野】
【０００１】
本発明は食品用包装袋等構成するフィルムに対して賞味期限、製造日、その他適宜の日付表示、或いは他の文字・数字を含む表示を施すためのフィルム用印字装置に関する。
【背景技術】
【０００２】
賞味期限等の日付をラベルに印字する手段として、ラベルプリンタ本体と、該ラベルプリンタ本体に設けられ商品の印字情報を入力する操作部と、該操作部より入力された食品の賞味期限を記憶する賞味期限記憶手段と、日時を計時するカレンダー手段と、該カレンダー手段より現在の日時を読み出す日時読み出し手段と、該日時読み出し手段により読み出された日時を記憶する日時記憶手段と、前記賞味期限記憶手段に記憶された賞味期限と前記日時記憶手段に記憶された現在の日時とより賞味期限を算出する賞味期限算出手段と、該賞味期限算出手段にて算出された賞味期限を前記ラベルに印字する印字手段と、を設け、前記賞味期限算出手段は、日時を賞味期限として算出し得るように構成したラベルプリンタ（例えば、特許文献１参照。）がある。
上記したラベルプリンタは、賞味期限を自動的に算出してその日付を自動的にプリントする完全自動化のものであるが、これは、大量にして多種類の商品の賞味期限を管理表示するための手段としては優れているが、数量がそれ程多くない一般的な表示手段としては、設備投資資金が高騰化してしまうため不適当である。
【０００３】
従って、一般的な印字装置としては、日付等の表示を手動的に調整する手段が採られているのが実情である。
そして、このような手動的に調節させる印字装置としては、図３に示すようなものがある。  これは、例えば「賞味期限06.12.30」のような一連の活字を、活字ホルダーＦに対して１文字づつセットし、これを包装フィルムＭの送り部分に位置させて、当該包装フィルムＭの各包装袋単体ｍに対してカーボンテープＰを介在させて印字するように構成したものであった。  そして、その印字用日付等の変更は、当該活字を１字づつ手作業で変更すると言うような作業形態を採るものであつた。
【０００４】
【特許文献１】特開平８−２２４９１４号公報
【発明の開示】
【発明が解決しようとする課題】
【０００５】
上述したように印字用日付等の変更を、１字づつ手作業で変更するような形態であると、作業性が悪くその変更作業を迅速に行えないと言う問題が生じる。
本発明はこのような問題点を解決した新規のフィルム用印字装置の提供を図ったものである。
【課題を解決するための手段】
【０００６】
本発明は、「賞味期限」「消費期限」「製造」のような文字の印字を行うための目的文字印字用リング１と、「０６．」、「０７．」のような年度数字を印字するための年度数字印字用リング２と、「０」及び「１」の月数の二桁目の数字を印字するための月数二桁数字印字用リング３と、「０．」〜「９．」の月数の一桁目の数字を印字するための月数一桁数字印字用リング４と、「０」「１」「２」「３」の日付の二桁目を印字するための日付二桁数字印字用リング５と、「０」〜「９」の日付の一桁目を印字するための日付一桁数字印字用リング６、更にこれ以外に、必要に応じた他の文字・数字を含むリングを含め、複数個の各印字用リングから成るリング群Ｔを、シャフト７に対して回転自在に取付け、当該シャフト７は基枠８に対して固定し、上記各印字用リングには、夫々所定位置での安定が図られるような適宜停止機構を設けたことを特徴とするフィルム用印字装置に係る。
【０００７】
また、上記したリング群Ｔとして、必要に応じた所要の文字または数字を印字するための印字用リングを、更に付加するように構成して実施する場合もある。  
【０００８】
更に、上記停止装置として具体的には、印字用リング群Ｔを構成する各印字用リングは、夫々その中心部にはシャフト挿通用円孔ａを開設すると共に、当該挿通用円孔Ｔａの内周面に等間隔に１０個或いはこれ以外の複数個の放射状係合合致用溝Ｔｂを形成すると共に、当該各印字用リングを回転させてその各放射状係合合致用溝Ｔｂを所要位置に合致させた状態で、その所定の放射状係合合致用溝内に対して、固定金具9を差し込むことによって固定化するように構成する。
【発明の効果】
【０００９】
本発明は請求項１に記載したような構成、すなわち、「賞味期限」「消費期限」「製造」のような文字の印字を行うための目的文字印字用リング１と、「０６．」、「０７．」のような年度数字を印字するための年度数字印字用リング２と、「０」及び「１」の月数の二桁目の数字を印字するための月数二桁数字印字用リング３と、「０．」〜「９．」の月数の一桁目の数字を印字するための月数一桁数字印字用リング４と、「0」「１」「２」「３」の日付の二桁目を印字するための日付二桁数字印字用リング５と、「0」〜「９」の日付の一桁目を印字するための日付一桁数字印字用リング６の各印字用リングから成るリング群Ｔを、シャフト７に対して回転自在に取付け、当該シャフト７は基枠８に対して固定し、上記各印字用リングには、夫々所定位置での安定が図られるような適宜停止機構を設けるように構成したから、「賞味期限」等の所要の表示目的の達成が計られると共に、日付表示等の表示の変更操作が著しく迅速且つ簡便化される。
すなわち、図３に示す従来の装置であると、一々活字を組み替えなければならなかったため、その変更作業は顕著な煩雑性が伴うことを余儀なくされたが、本発明にあってはこのような問題は全て解消される。
【００１０】
本発明は請求項２に記載したような構成、すなわち、  請求項１に記載のリング群Ｔとして、必要に応じた所要の文字または数字を印字するための印字用リングを更に付加してなるリング群とするように構成することにより、フィルム用印字装置としての利用範囲が広げられ、その使用価値が著しく高められることとなる。
【００１１】
本発明は請求項３に記載のような構成、すなわち、印字用リング群Ｔを構成する各印字用リングは、夫々その中心部にはシャフト挿通用円孔ａを開設すると共に、当該挿通用円孔Ｔａの内周面に等間隔に１０個或いはこれ以外の複数個の放射状係合合致用溝Ｔｂを形成すると共に、当該各印字用リングを回転させてその各放射状係合合致用溝Ｔｂを所要位置に合致させた状態で、その所定の放射状係合合致用溝内に対して、固定金具9を差し込むことによって固定化するように構成したから、印字用リング群Ｔに対する開放及び固定操作が極めて容易に果されると共に、その固定状態は顕著な確実性と安定性をもったものとされる。
【発明を実施するための最良の形態】
【００１２】
図１は本発明に係る印字装置の具体的実施例を表したものである。  同図に於いて、Ｍは矢印方向に間歇的或いは連続的に送られる包装フィルムであって、当該包装フィルムＭは目的商品を収容する包装袋単体ｍを連続的に連ねたものである。  そして、当該包装袋単体ｍは、それぞれ商品の収容後にその封緘及び切り離し処理がなされるものである。  本発明はこのような包装フィルムＭに対して賞味期限等の表示を印字するための印字装置に関するものである。
【００１３】
図１において、Ｎは印字用受け台であって、上記した包装フィルムＭの送り通路上の所要箇所に、当該包装フィルムＭの下面側に位置されるように設けられている。
Ｐはカーボンテープであって、駆動リールＱと従動リールＲ間に掛架されており、上記印字用受け台Ｎ部分で、本発明に係る印字装置によるプレス作動に基づき、包装フィルムＭに対する当該カーボンテープＰの押し付け印字が施されるように構成してある。
【００１４】
図２は本発明に係る印字装置の説明用分解図である。  図２の(A)図は印字用リング群Ｔを表し、当該リング群Ｔは、「賞味期限」「消費期限」「製造」のような文字の印字を行うための目的文字印字用リング１と、「０６．」、「０７．」のような年度数字を印字するための年度数字印字用リング２と、「０」及び「１」の月数の二桁目の数字を印字するための月数二桁数字印字用リング３と、「０」〜「９」の月数の一桁目の数字を印字するための月数一桁数字印字用リング４と、「０．」「１．」「２．」「３．」の日付の二桁目を印字するための日付二桁数字印字用リング５と、「０」〜「９」の日付の一桁目を印字するための日付一桁数字印字用リング６の、合計６個の印字用リングから成るものである。
【００１５】
なお、上記した印字用リング群Ｔであるが、これは、図面に示されかつ上記したように、合計６個の印字用リングから成ることを通例とするが、必要に応じた所要の文字または数字を印字するための印字用リングを更に付加してなるリング群とするように構成して実施することも出来る。  すなわち、図面には示していないが、新たな印字用リングとして、印字部分を除き各印字用リングのリング部分の基本形態を共通とする形態を具え、かつその印字部分を、必要に応じて他の文字・数字を含む印字用リングを加えたものとするように構成することも出来る。
すなわち、図面に示す実施例における印字用リングの個数を６個としてあるのは、一つの実施例を例示したにすぎず、これ以上以外の個数で印字用リング群Ｔを構成することも可能とする。  そして、その増減化のために印字用リングの基本形態を特別のものとする必要は無く、単純なる増減に基づき許容化されるものであため、図面による表示は省略する。
【００１６】
そして、印字用リング群Ｔを構成する上記各印字用リングは、夫々その中心部にはシャフト挿通用円孔Ｔａを開設すると共に、当該挿通用円孔Ｔａの内周面に等間隔に１０個或いはこれ以外の複数個の放射状係合合致用溝Ｔｂを形成してある。  そして、印字用リング群Ｔを構成する各印字用リングを回転させてその各放射状係合合致用溝Ｔｂを合致させることによって、例えば「賞味期限16.12.30」のような所要表示の印字面が組み合わせることが出来るように構成してある。
【００１７】
図２の(B)図は、先端にノブ7ａを取り付けたシャフト７を介して、上記した印字用リング群Ｔをその各挿通用円孔Ｔａにおいて回転自在に貫通させた状態を表したものである。  そして、当該シャフト7の両端ａ，ｂ部分は当該印字用リング群Ｔから露出状態に保たれている。
【００１８】
図２の(C)図は、分解状態にある基枠８を示し、当該基枠８は、上板部8ａの前後端にサイドプレート8ｂ，8ｂを取付けて成るものである。  そして、前述したように各印字用リング群Ｔを挿通しているシャフト７は、その両端ａ，ｂ部分においてサイドプレート8ｂ，8ｂ間に架設すると共に、そのノブ7ａ部分を前方に突き出させた状態で当該サイドプレート8ｂ，8ｂにより固定化されている。（図１参照）
【００１９】
そして、上記したサイドプレート8ｂ，8ｂには図２の（Ｃ）図に示されている開口溝部8ｇ及び開口溝部８ｃ，８ｃが形成されており、当該開口部8ｃ，8ｃの間に固定金具９を直線的に挿通させることにより、当該固定金具9が各印字用リングの各放射状係合合致用溝Ｔｂに対して一括して貫通させることとなり、これによる各印字用リング群Ｔの所定位置での合致化及び回転阻止化の作用に基づき、全ての印字用リングに対する固定が図られるように構成してある。  また、当該固定金具9を直線的に引き抜くことにより、その回転阻止化作用は解消される。  なお、図面に於いて当該固定金具９を円弧矢印で示すように回転させた状態を描いてあるのは、下面側の形態を表すための作図上の関係からであり、これを作動的に回転させるものではない。
【００２０】
図２の（Ｄ）図は上述したシャフト７を表したものであり、当該シャフト７はその先端にノブ7ａを螺合連設してあると共に、その胴部には、前述した印字用リング群Ｔに対する「年度数字印字部分」、「月数表示部分」、「日付表示部分」等に対する
仮止め的安定化を図るためのスプリング付き出没子7ｂが設けられている。
【００２１】
そして、基板部8a、サイドプレート8b，8bに固定されている皿形ネジ8fを取外すことにより、基板部8a、サイドプレート8b，8b、シャフト７、出没子7b等が容易に分解されて、個々の部品の清掃、交換ができ、再組立て時の精度を出すことができる。
【００２２】
また、固定金具９の一つの面に、各印字用リングの幅に応じたモミ付け穴9aを穿ち、前後何れかのサイドプレート8bに出没子8dを設置することにより、活字固定金具９の抜き差しに応じ、各印字用リングに対する所定位置での固定は、当該固定金具９のモミ付け穴9aに対する出没子8dの嵌合に基づき確認されるように構成してある。  そして、当該出没子8dの設置に基づき固定化金具９の脱落が阻止されるように構成してある。  
【００２３】
更に、シャフト７の両端ａ，ｂ部にネジ穴を設けることによって、ノブ7aの固定位置をａ端部よりｂ端部側に差し替えることにより、各印字用リングを上下逆様に印字することが可能化されるように構成してある。
【００２４】
図１に示す状態で包装用フィルムＭを矢印方向に間歇的或いは連続的に送ると共に、これにより印字用受け台Ｎ部分に包装袋単体ｍが位置させられる度に、本発明に係る印字装置の降下及び復帰運動を行わせることにより、当該包装袋単体ｍに対するカーボンテープＰに依る押し付け印字が施されることとなる。
【００２５】
印字内容の変更に際しては、固定金具9を引き抜くことによって一部又は全ての印字用リングに対する固定を解除する。  この状態に於いて手動的に当該各印字用リングを回転させて所望表示に転移させ、然る後、固定金具9を再び差し込めば印字内容の変更は完了し、上記のようなカーボンテープＰによる印字作業を再び行うことが出来る。  
【図面の簡単な説明】
【００２６】
【図１】本発明に係る印字装置の全体と、その分解図を併記した説明用斜視図である。
【図２】本発明に係る印字装置の要部を表した説明用分解図である。
【図３】従来の印字装置の全体を表した説明用斜視図である。
【符号の説明】
【００２７】
Ｆ  活字ホルダー
Ｍ  包装フィルム
ｍ  包装袋単体
Ｎ  印字用受け台
Ｐ  カーボンテープ
Ｑ  駆動リール
Ｒ  従動リール
Ｔ  印字用リング群
１  目的文字印字用リング
２  年度数字印字用リング
３  月数二桁数字印字用リング
４  月数一桁数字印字用リング
５  日付二桁数字印字用リング
６  日付一桁数字印字用リング
Ta  シャフト挿通用円孔
Tb  放射状係合合致用溝
７  シャフト
7a  ノブ
7ｂ 出没子
a   端部  
ｂ  端部
８  基枠
8a  基板部
8b  サイドプレート
8c  開口部
8d  出没子
8e  皿型ネジ
8f  六角穴付き止めネジ
8g  開口溝部
９  活字固定金具
9a  モミつけ穴
【図１】
2007326302.tif 000003
【図２】
2007326302.tif 000004
【図３】
2007326302.tif 000005